(57)【要約】【課題】  誰から着信があったか確認でき、また、ファッション性に優れ、所有者の趣向を反映することのできる着信表示システム及び着信表示装置を提供する。【解決手段】  予め登録された着信元電話番号に対応した形態の着信通知を着信時に無線送信する近距離通信部１７を備える携帯端末装置１０と、上記携帯端末装置１０とは別の物品に装着自在な着信表示装置２０とで着信表示システムを構成し、上記着信表示装置２０は、近距離通信部２１により受信される着信通知に基づいて、上記着信元電話番号に対応した色の発光ダイオード２３Ｒ，２３Ｇ，２３Ｂを選択的に発光させることにより、上記携帯端末装置１０に着信があったことを表示する。【選択図】        図１
2014039196.tif 000002
【特許請求の範囲】
【請求項１】
予め登録された着信元電話番号に対応した形態の着信通知を着信時に無線送信する近距離通信部を備える携帯端末装置と、
上記携帯端末装置から着信時に無線送信される着信通知を受信する近距離通信部と、複数の色で発光する発光表示素子と、上記近距離通信部により受信される着信通知に基づいて、上記着信元電話番号に対応した色の発光表示素子を発光させることにより、上記携帯端末装置に着信があったことを表示する制御を行う発光制御部とを備え、上記携帯端末装置とは別の物品に装着自在な着信表示装置と
からなる着信表示システム。
【請求項２】
上記携帯端末装置は、着信時に無線送信する着信通知の形態と着信元電話番号との対応を登録・変更する手段を備えることを特徴とする請求項１に記載の着信表示システム。
【請求項３】
上記携帯端末装置及び着信表示装置は、上記近距離通信部としてＩＥＥＥ８０２．１５．１規格に準拠した近距離通信手段を有することを特徴とする請求項１又は請求項２の何れか１項に記載の着信表示システム。
【請求項４】
上記着信表示装置は、着信表示を禁止するスイッチを備えることを特徴とする請求項１乃至請求項３の何れか１項に記載の着信表示システム。
【請求項５】
上記着信表示装置は、受信される着信通知に基づいて、特定の着信元電話番号に対応した鍵解除処理を行う鍵解除処理手段を備えることを特徴とする請求項１乃至請求項４の何れか１項に記載の着信表示システム。
【請求項６】
携帯端末装置に着信があったことを表示する着信表示システムにおける着信表示装置であって、
携帯端末装置から着信時に無線送信される予め登録された着信元電話番号に対応した形態の着信通知を受信する近距離通信部と、
複数の色で発光する発光表示素子と、
上記近距離通信部により受信される着信通知に基づいて、上記着信元電話番号に対応した色の発光表示素子を発光させることにより、上記携帯端末装置に着信があったことを表示する制御を行う発光制御部とを備え、
上記携帯端末装置とは別の物品に装着自在な着信表示装置。
【請求項７】
上記近距離通信部としてＩＥＥＥ８０２．１５．１規格に準拠した近距通信手段を有することを特徴とする請求項６記載の着信表示装置。
【請求項８】
着信表示を禁止するスイッチを備えることを特徴とする請求項６又は請求項７の何れか１項に記載の着信表示装置。
【請求項９】
上記近距離通信部により受信される着信通知に基づいて、特定の着信元電話番号に対応した鍵解除処理を行う鍵解除処理手段を備えることを特徴とする請求項６乃至請求項８の何れか１項に記載の着信表示装置。
【発明の詳細な説明】
【技術分野】
【０００１】
本発明は、携帯端末装置に着信があったことを表示する着信表示システム及び着信表示装置に関する。
【背景技術】
【０００２】
従来から、携帯電話機の所持者等に着信を報知するアクセサリとして、例えば、デジタル携帯電話の発生する周波数帯を含んだ電波を検知し、該検知した情報に基づいて、ＬＥＤを発光させる着信表示装置が知られている。これらは、携帯電話のアンテナに直接装着したり、止めひもやキーホルダーで携帯電話や携帯電話をいれたカバンなどに装着されている（例えば、特許文献１、特許文献２参照） 。
【０００３】
また、着信情報を近距離無線通信を使用して携帯電話機から着信表示装置へ送信し、着信表示装置に備えられた表示部に着信があった旨を表示することが提案されている（例えば、特許文献３、特許文献４参照） 。
【０００４】
さらに、ＩＥＥＥ８０２．１５．１規格に準拠した所謂ブルートゥース（BlueTooth（登録商標））方式等の近距離無線通信方式により、無線通信でデータ送受信できるようにした携帯電話機やヘッドセットが開発されている。ブルートゥース方式は２．４ＧＨｚ帯の電波を用い、半径数メートル程度の範囲内にある複数の機器を無線で接続してデータ送受信することを目的としている。ブルートゥースを使うことによって、他のブルートゥース端末とデータの交換をワイヤレスで行うことができ、ブルートゥース方式は、point-to-point による１対１通信、および複数間通信に対応している。
【先行技術文献】
【特許文献】
【０００５】
【特許文献１】実用新案登録第３０９１３９３号
【特許文献２】特開２００１−２３１６２４号公報
【特許文献３】特開２００１−１５６９０６号公報
【特許文献４】特開２００２−１３５３６７号公報
【発明の概要】
【発明が解決しようとする課題】
【０００６】
ところで、従来より、通信前及び通信中において、着信時にその着信元の発信者情報を通知する通信前情報通知サービス及び通信中情報通信サービスが提供されており、これらサービスが適用可能な携帯電話機では、着信に応答する前に、その着信時に受信された発信者情報に対応する予め登録しておいた情報を携帯電話機本体に備えられたディスプレイに表示させたり音声によって放音させるようになっている。
【０００７】
しかしながら、携帯電話機の着信をＬＥＤの点灯により報知する従来の着信表示装置では、携帯電話機に着信があったことを報知できるものの、誰からの着信であったか、すなわち着信元を特定する情報までは判らず、自己の保有する携帯電話機に対する着信があったことのみが認識されるものであった。すなわち、従来の着信表示装置は、着信を報知するだけの趣向の少ないものであり、ファッション性に乏しいために、所持者の趣向を十分に反映できないものであった。
【０００８】
そこで、本発明の目的は、個人、会社、家族、友達などの誰から着信があったか確認でき、また、ファッション性に優れ、所有者の趣向を反映することのできる着信表示システム及び着信表示装置を提供することにある。
【０００９】
本発明の更に他の目的、本発明によって得られる具体的な利点は、以下に説明される実施の形態の説明から一層明らかにされる。
【課題を解決するための手段】
【００１０】
本発明は、着信表示システムであって、予め登録された着信元電話番号に対応した形態の着信通知を着信時に無線送信する近距離通信部を備える携帯端末装置と、上記携帯端末装置から着信時に無線送信される着信通知を受信する近距離通信部と、複数の色で発光する発光表示素子と、上記近距離通信部により受信される着信通知に基づいて、上記着信元電話番号に対応した色の発光表示素子を発光させることにより、上記携帯端末装置に着信があったことを表示する制御を行う発光制御部とを備え、上記携帯端末装置とは別の物品に装着自在な着信表示装置とからなることを特徴とする。
【００１１】
また、本発明は、携帯端末装置に着信があったことを表示する着信表示システムにおける着信表示装置であって、携帯端末装置から着信時に無線送信される予め登録された着信元電話番号に対応した形態の着信通知を受信する近距離通信部と、複数の色で発光する発光表示素子と、上記近距離通信部により受信される着信通知に基づいて、上記着信元電話番号に対応した色の発光表示素子を発光させることにより、上記携帯端末装置に着信があったことを表示する制御を行う発光制御部とを備え、上記携帯端末装置とは別の物品に装着自在であることを特徴とする。
【００１２】
本発明において、携帯端末装置は、着信時に無線送信する着信通知の形態と着信元電話番号との対応を登録・変更する手段を備えるものとすることができる。
【００１３】
また、本発明において、携帯端末装置及び着信表示装置は、ＩＥＥＥ８０２．１５．１規格に準拠した近距離通信部を有するものとすることができる。
【００１４】
また、本発明において、着信表示装置は、着信表示を禁止するスイッチを備えるものとすることができる。
【００１５】
さらに、本発明において、着信表示装置は、受信される着信通知に基づいて、特定の着信元電話番号に対応した鍵解除処理を行う鍵解除処理手段を備えるものとすることができる。
【発明の効果】
【００１６】
本発明では、着信表示装置は、携帯端末装置から着信時に無線送信される予め登録された着信元電話番号に対応した形態の着信通知を近距離通信部により受信し、受信した着信通知に基づいて、発光制御部により上記着信元電話番号に対応した色の発光表示素子を発光させる制御を行い、上記携帯端末装置に着信があったことを表示する。
【００１７】
したがって、本発明によれば、複数の色で発光する発光表示素子の発光状態により、個人、会社、家族、友達などの誰から着信があったか確認でき、また、ファッション性に優れ、所有者の趣向を反映することのできる着信表示システム及び着信表示装置を提供することができる。
【図面の簡単な説明】
【００１８】
【図１】本発明を適用した着信表示システムの構成例を示すブロック図である。
【図２】上記着信表示システムにおける着信表示装置による着信表示の際に選択される色を示す図である。
【図３】上記着信表示システムへのアプリケーションプログラムのインストールの様子を模式的に示す図である。
【発明を実施するための形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２０】
本発明は、例えば図１に示すような構成の着信表示システム１００に適用される。
【００２１】
この着信表示システム１００は、携帯端末装置１０と着信表示装置２０からなる。
【００２２】
携帯端末装置１０は、制御部１１、無線通信部１２、音声処理部１３、表示部１４、操作部１５、記憶部１６、近距離無線通信部１７などからなる。
【００２３】
また、着信表示装置２０は、近距離無線通信部２１、制御部２２、表示部２３などからなる。
【００２４】
携帯端末装置１０の制御部１１は、例えばＣＰＵ（Central Processing Unit）、ＲＯＭ（Read Only Memory）及びＲＡＭ（Random Access Memory）を備えており、携帯電話機１０の各部を制御する。ＲＯＭには、制御部１１の機能を実現するための基本プログラムや、各種のアプリケーションプログラムが記憶されている。
【００２５】
無線通信部１２は、携帯電話網の基地局から送信されてくる無線信号をアンテナ１２Ａを介して受信し、受信した無線信号から受話信号の音声データを復調して音声処理部１３に供給する。また、無線通信部１２は、音声処理部１３から送話信号の音声データが供給され、供給された音声データで搬送波を変調し、音声データで変調した搬送波を無線通信部１２からアンテナ１２Ａを介して無線信号として送信する。
【００２６】
音声処理部１３は、無線通信部１２から供給される音声データをＤ／Ａ変換することにより受話信号を生成して増幅し、増幅した受話信号によりスピーカ１３Ａを駆動することにより受話音声を出力する。また、音声処理部１３は、マイクロホン１３Ｂによりユーザの送話音声を集音して得られる送話信号を増幅してＡ／Ｄ変換することにより、送話信号の音声データを生成し、生成した送話信号の音声データを無線通信部１２に供給する。
【００２７】
表示部１４は、例えば液晶ディスプレイや液晶駆動回路かなり、制御部１１からの指示に応じて、各種の情報や、ユーザに対する対話画面などを表示する。
【００２８】
操作部１５は、例えば「０」から「９」までのテンキーや、オンフックキー・オフフックキーのほか、表示画面上のカーソルを移動させるためのキーなどを備えており、ユーザによる操作に応じた信号を制御部１１に供給する。制御部１１はこの信号に基づき、ユーザの操作によって指示された内容を判断し、その判断結果に応じた処理を実行する。
【００２９】
ここで、この携帯電話端末１００は、いわゆるスマートホンの構成とされ、表示画面の大きな液晶ディスプレイの表示部１４を備えるとともに、当該液晶ディスプレイの表示画面にはタッチパネルが貼付されている。そして、液晶ディスプレイの表示画面に表示される表示情報とタッチパネルとにより操作部１５としての機能を実現している。
【００３０】
記憶部１６は、例えばＥＥＰＲＯＭ（Electrically Erasable and Programmable Read Only Memory）やフラッシュメモリ等の半導体メモリからなり、制御部１１が実行する着信表示プログラム、登録テーブル作成プログラムなどのアプリケーションプログラムや、ユーザが操作部１５を操作することにより、設定した相手先の電話番号等が記憶される。なお、記憶部１６に記憶される各種プログラムや一部のデータについては、制御部１１を構成するＣＰＵ内部に設けられたメモリに記憶されると構成しても良い。
【００３１】
近距離無線通信部１７は、自機の位置を中心とした近距離無線エリア内に存在する近距離無線通信端末とアンテナ１７Ａを介して無線通信を行う。この近距離無線通信部１７の通信方式には、ＩｒＤＡ(InfraredData Association)、無線ＬＡＮ(IEEE802.11)、ブルートゥース(BT:Bluetooth（登録商標）)、及びＳＷＡＰ(Shared Wireless Access Protocol)など任意のものを用いることができる。ここでは、例えばＩＥＥＥ８０２．１５．１規格に準拠したブルートゥース（BT:Bluetooth（登録商標））方式の近距離通信手段を備えるものとする。すなわち、近距離無線通信部１７は、ＢＴプロトコルスタックを搭載したＢＴモジュールからなる。ＢＴプロトコルスタックは、ＢＴモジュールが他のＢＴモジュールとの間で接続を行う際の通信処理手順を多層構造的にサポートするものである。そして、ＢＴモジュール内にあるＢＴプロトコルスタックの上位に位置する近距離無線通信用のアプリケーションプログラムが制御部１１にインストールされている。
【００３２】
そして、この着信表示システム１００において、携帯端末装置１０の制御部１１は、記憶部３６に記憶されている着信表示プログラム、登録テーブル作成プログラム等に基づいて、着信表示処理、登録テーブル作成処理等を実行する。
【００３３】
制御部１１は、着信表示プログラムにしたがって次のような着信表示処理を実行する。
【００３４】
すなわち、制御部１１は、携帯電話網の基地局から送信されてくる無線信号をアンテナ１２Ａを介して無線通信部１２が受信し、携帯端末装置１０が着信し、呼び出し中にオフフック操作が行われなかった場合に、着信があったことを表示部１４にその旨を表示し、また、着信通知を近距離無線通信部１７からアンテナ１７Ａを介して無線送信する。また、制御部１１は、登録テーブル作成プログラムにしたがって、当該携帯端末装置１０の通信相手すなわち送信先あるいは着信元の電話番号、メールアドレス、それぞれの着信があった場合にその旨を表示する着信表示の種類を設定した登録テーブルを作成する登録テーブル作成処理を行う。
【００３５】
そして、着信表示装置２０の近距離無線通信部２１は、上記携帯端末装置１０の近距離無線通信部１７からアンテナ１７Ａを介して無線送信される着信通知を、アンテナ２１Ａを介して受信するものであって、上記近距離無線通信部１７と同じ通信方式の近距離無線通信手段、ここでは、ＩＥＥＥ８０２．１５．１規格に準拠したブルートゥース（BT:Bluetooth（登録商標））方式の近距離通信手段、すなわち、ＢＴプロトコルスタックを搭載したＢＴモジュールからなる。
【００３６】
また、制御部２２は、上記近距離無線通信部２１により受信される着信通知に基づいて、上記携帯端末装置１０に着信があったことを表示部２３で表示する制御を行う。
【００３７】
表示部２３は、複数の色で発光する発光表示素子、ここでは、赤色発光ダイオード２３Ｒ、緑色発光ダイオード２３Ｇ、青色発光ダイオード２３Ｂからなる。
【００３８】
このように赤色発光ダイオード２３Ｒ、緑色発光ダイオード２３Ｇ、青色発光ダイオード２３Ｂからなる表示部２３では、図２に示すように、３原色の組み合わせで定義される７色、すなわち、赤色発光ダイオード２３Ｒ、緑色発光ダイオード２３Ｇ、青色発光ダイオード２３Ｂの単色点灯による赤、緑、青、３色点灯による白、赤色発光ダイオード２３Ｒ、緑色発光ダイオード２３Ｇ、青色発光ダイオード２３Ｂの２色点灯による青緑（青＋緑）、黄（青＋緑）、紫（青＋緑）に対応する７名分の着信元電話番号（Ａ〜Ｇ）に対応した識別可能な着信表示を行うことができる。
【００３９】
ここで、この着信表示システム１００において、携帯端末装置１０の制御部１１には、図３に示すように、パーソナルコンピュータ等の情報処理装置２００を用いてＢＴ通信により、予め登録された着信元電話番号に対応した形態の着信通知を着信時に上記近距離無線通信部１７からアンテナ１７Ａを介して無線送信するアプリケーションプログラムがインストールされる。また、着信表示装置２０の制御部２２は、１チップマイクロコンピュータからなり、図３に示すように、パーソナルコンピュータ等の情報処理装置２００を用いてＢＴ通信により、ＬＥＤ点灯制御用のアプリケーションプログラムや特定の着信元電話番号に対応した鍵解除処理を行う鍵解除処理手段として機能するためのアプリケーションプログラムがインストールされ、ＢＴプロトコルスタックを搭載したＢＴモジュールからなる。この着信表示システム１００は、コンプリートモジュールとして提供される。
【００４０】
この着信表示装置２０は、充電式リチウムイオン電池やボタン電池を電源として動作する近距離無線通信部２１、制御部２２、表示部２３などを２０ｍｍ角程度の基板上に配設し、透明な樹脂で封じた厚みが２ｍｍ程度のカード部品５０として提供される。
【００４１】
このようにカード部品として提供される着信表示装置２０は、上記携帯端末装置１０とは別の物品、例えば、指輪、時計、ピアス、ブレスレット、ネールアート付爪、タバコ用ライター、手持ちタイプや肩掛けタイプ等の各種バックの鍵、キーホルダー、靴、サンダル、長靴、財布、車両などに装着あるいは載置自在となっている。
【００４２】
上記着信表示装置２０が装着される物品は、例えば、上記カード部品として提供される着信表示装置２０を埋め込むための凹部が形成された物品として提供される。
【００４３】
そして、この着信表示システム１００において、携帯端末装置１０の制御部１１は、アプリケーションプログラムにしたがって、図２に示すように、３原色の組み合わせで定義される７色に対応する７名分の予め登録された着信元電話番号に対応した形態の３ビットの着信通知情報を着信時に上記近距離無線通信部１７からアンテナ１７Ａを介して無線送信する制御を行い、着信表示装置２０の制御部２２は、上記近距離通信部２１により受信される着信通知に基づいて、上記着信元電話番号に対応した色の発光ダイオード２３Ｒ、２３Ｇ、２３Ｂを選択的に発光させることにより、上記携帯端末装置１０に着信があったことを表示する制御を行う。
【００４４】
このように着信表示装置２０の制御部２２は、上記近距離通信部２１により受信される着信通知に基づいて、上記着信元電話番号に対応した色の発光ダイオード２３Ｒ、２３Ｇ、２３Ｂを選択的に発光させることにより、上記携帯端末装置１０に着信があったことを表示する制御を行うことにより、３原色の組み合わせで定義される７色に対応する７名分の予め登録された着信元電話番号（Ａ〜Ｇ）を識別可能に着信表示を行うことができ、例えば、会社・友人・家族・恋人・支店・その他などを色分けして着信表示することができる。
【００４５】
なお、この着信表示システム１００における携帯端末装置１０の制御部１１は、ユーザによる操作部１５の操作入力を受け付けて、記憶部１６上の登録テーブルを書き換えることにより、着信時に無線送信する着信通知の形態と着信元電話番号との対応を登録・変更することができ、ユーザが任意に且つ簡単に設定することができる。
【００４６】
ここで、Bluetooth（登録商標）方式の近距離通信手段では、赤外線通信のように１対１の通信だけでなく、１対多のような複数の機器との接続にも対応し、同時接続の場合、最大で1対７の８台まで接続できる、Piconet（ピコネット）と呼ばれる機能によって実現している。また、Bluetoothには、電波強度が１００ｍＷで通信距離が１００ｍのクラス（Class1）、電波強度が２．５ｍＷで通信距離が１０ｍのクラス（Class2）、電波強度が１ｍＷで到達距離が１ｍのクラス（Class3）の、電波強度を規定したクラス（Class）」と呼ばれる３つのカテゴリがある。
【００４７】
なお、Bluetooth方式では、ZigBee や無線LANと同じ２．４ＧＨｚのＩＳＭ(Industrial, Scientific and Medical)周波数帯域を使用している。周波数ホッピングスペクトラム拡散方式（FHSS：Frequency Hopping Spread Spectrum）を採用して、信号の周波数帯域幅を１ＭＨｚとし最大７９チャンネル分の中で周波数を最初に設定したパターンで１秒当り１６００回のチャンネル切り替えを行うことにより、他の無線電波が使用していない周波数を探しながら電波干渉をおこさず効率的な通信を行い、安定的にデータをやり取りすることができる。
【００４８】
この着信表示システム１００では、携帯端末装置１０を身に付けていなくても、上記着信表示装置２０により着信を知ることができ、上記着信表示装置２０を装着した指輪、ブレスレット、ブローチなどを身につけておくことにより、例えば、水泳・サッカー・野球などのスポーツの最中や、風呂・野外コンサート会場・自動車や電車の中・映画館など、着信を気づき難い場所において、電波強度を規定したクラス（Class1〜Class3）で携帯端末装置１０から離れたところで着信を知ることができる。また、上記着信表示装置２０を装着した指輪、時計、ピアス、ブレスレット、ネールアート付爪等を身につけていれば、ＬＥＤの発光により発光色により予め登録された着信元電話番号を識別可能に着信表示されるので、ファッション感覚で着信を知ることができる。
【００４９】
また、この着信表示システム１００では、騒音の多い場所や車中や飛行機内などにおいてＬＥＤの発光により、着信元電話番号を確実に識別可能に着信表示してユーザに知らせることができる。
【００５０】
また、旅行用のケース・靴など、判別が見極め難い物品に上記着信表示装置２０を装着しておけば、他の物品と容易に識別することができる。
【００５１】
なお、反応してはいけない場所では、上記着信表示装置２０をはずすか切っておけば問題はない。上記着信表示装置２０は、着信表示を禁止するスイッチを備えるものとすることができる。上記着信表示装置２０の着信表示を禁止しておいても、ユーザは、携帯端末装置１０側の着信履歴により着信を確認することができる。
【００５２】
さらに、本発明において、着信表示装置は、受信される着信通知に基づいて、特定の着信元電話番号に対応した鍵解除処理を行う鍵解除処理手段を備えるものとすることができる。例えば、鞄を開閉するための鍵として、初期設定で４桁の暗証番号を登録した着信表示装置２０を鍵解除手段とした電子錠や電磁鍵によりオートロックシステムを構築し、携帯端末装置１０から暗証番号を設定することによりオートロックシステムを解除するようにできる。
【００５３】
この場合、アプリケーションソフトとして、内外部強制ロック・いたずら防止・電池交換時期お知らせなど、シンプルメニュー設定ができるようにしておく。また、バッテリートラブルでシステムダウンしたときに非常用外部電源供給端子を使用して電力を供給できるようにしても良い。
【符号の説明】
【００５４】
１０  携帯端末装置、１１  制御部、１２  無線通信部、１２Ａ  アンテナ、１３  音声処理部、１３Ａ  スピーカ、１３Ｂ  マイクロホン、１４  表示部、１５  操作部、１６  記憶部、１７  近距離無線通信部、１７Ａ  アンテナ、２０  着信表示装置、２１  近距離無線通信部、２２  制御部、２３  表示部、２３Ｒ  赤色発光ダイオード、２３Ｇ    緑色発光ダイオード、２３Ｂ  青色発光ダイオード、５０  カード部品、１００  着信表示システム
【図１】
2014039196.tif 000003
【図２】
2014039196.tif 000004
【図３】
2014039196.tif 000005